【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
（ｉ）流入端及び流出端の両端を有する光学サンプリングボア、（ｉｉ）前記光学サンプリングボアの前記流入端に接続されるガス流入ルーメン及び（ｉｉｉ）前記光学サンプリングボアの前記流出端に接続されるガス流出ルーメンを含むガス流路を画定する一体成形の射出成形本体と、
前記一体成形の射出成形本体に取り付けられ、前記光学サンプリングボアの前記流入端を覆う流入光学ウィンドウと、
前記一体成形の射出成形本体に取り付けられ、前記光学サンプリングボアの前記流出端を覆う流出光学ウィンドウと、
を含む、呼吸ガスセンサ用のサンプルセル。
【請求項２】
前記流入光学ウィンドウは、前記光学サンプリングボアの前記流入端を密閉し、
前記流出光学ウィンドウは、前記光学サンプリングボアの前記流出端を密閉する、請求項１に記載のサンプルセル。
【請求項３】
前記光学サンプリングボアは、光軸を画定し、
前記流入光学ウィンドウは、前記光軸を横断するように向けられ、
前記流出光学ウィンドウは、前記光軸を横断するように向けられる、請求項１又は２に記載のサンプルセル。
【請求項４】
前記ガス流入ルーメン及び前記ガス流出ルーメンは、平行であり、
前記ガス流入ルーメンは、前記光軸に直交し、
前記ガス流出ルーメンは、前記光軸に直交する、請求項３に記載のサンプルセル。
【請求項５】
前記ガス流入ルーメンと前記光学サンプリングボアの前記流入端との接続部は、
前記ガス流入ルーメンから出て、前記ガス流入ルーメンと前記光学サンプリングボアの前記流入端との間に配置される流入プレナムに入るガス流を方向転換する凹面状の曲面壁と、
前記流入プレナムと前記光学サンプリングボアの前記流入端との間に配置される凸面状の曲面壁と、
を含む、少なくとも１つの曲面壁を含む、請求項１から４の何れか一項に記載のサンプルセル。
【請求項６】
前記ガス流出ルーメンと前記光学サンプリングボアの前記流出端との接続部は、
前記光学サンプリングボアの前記流出端と、前記ガス流出ルーメンと接続する流出プレナムとの間に配置される凸面状の曲面壁と、
前記流出プレナムから出て前記ガス流出ルーメンに入るガス流を方向転換する凹面状の曲面壁と、
を含む、少なくとも１つの曲面壁を含む、請求項５に記載のサンプルセル。
【請求項７】
前記光学サンプリングボアは、前記光学サンプリングボアの前記流出端が、前記光学サンプリングボアの前記流入端よりも大きい直径を有するように向けられるテーパを持つテーパ円筒である、請求項１から６の何れか一項に記載のサンプルセル。
【請求項８】
前記一体成形の射出成形本体は更に、前記一体成形の射出成形本体の両側にフィンガグリップを含む、請求項１から７の何れか一項に記載のサンプルセル。
【請求項９】
前記フィンガグリップの少なくとも１つは、（ｉ）前記一体成形の射出成形本体に対する角度と、（ｉｉ）前記一体成形の射出成形本体から離れるように弧を描く湾曲とのうちの少なくとも１つを有する前記一体成形の射出成形本体の突起部を含む、請求項８に記載のサンプルセル。
【請求項１０】
前記フィンガグリップは、前記フィンガグリップに印加される対向する力の印加によって、サンプリングベンチからの前記サンプルセルの取り外しを容易にするように構造化される、請求項８又は９に記載のサンプルセル。
【請求項１１】
前記フィンガグリップの少なくとも１つは更に、前記フィンガグリップに印加される対向する力の前記印加によって、サンプリングベンチからの前記サンプルセルの取り外しを容易にするように、（ｉ）ロック機構を無効にすること、又は、（ｉｉ）解放機構を作動させることの少なくとも１つを行うように構造化される、請求項１０に記載のサンプルセル。
【請求項１２】
前記一体成形の射出成形本体は更に、前記ガス流入ルーメンを画定し且つニブを有する管状ガス流入口を含み、前記サンプルセルは更に、
接着剤を使用することなく、前記ニブを介して前記管状ガス流入口に取り付けられる排水フィルタを含む、請求項１から１１の何れか一項に記載のサンプルセル。
【請求項１３】
請求項から１２の何れか一項に記載のサンプルセルと、
前記サンプルセルの前記光学サンプリングボアの前記流入端内に光を入れる光源と、
前記サンプリングセルの前記光学サンプリングボアの前記流出端に配置され、前記光源からの光を、前記サンプルセルの前記光学サンプリングボアを通過した後に検出する光検出器と、
を含む、呼吸ガス二酸化炭素センサ。
【請求項１４】
前記サンプルセルの前記光学サンプリングボアを通る呼吸ガスを引き入れるように、前記サンプルセルの前記ガス流出ルーメンに接続されるポンプと、
前記光源及び前記光検出器を含み、また、前記サンプルセルを取り外し可能なサンプルセルとして受け入れるサンプルセルレセプタクルを更に含むサンプリングベンチと、
のうちの少なくとも１つを更に含む、請求項１３に記載の呼吸ガス二酸化炭素センサ。
【請求項１５】
（ｉ）流入端及び流出端の両端を有する光学サンプリングボア、（ｉｉ）前記光学サンプリングボアの前記流入端に接続されるガス流入ルーメン及び（ｉｉｉ）前記光学サンプリングボアの前記流出端に接続されるガス流出ルーメンを含むガス流路を画定する本体と、
前記本体に取り付けられ、前記光学サンプリングボアの前記流入端を覆う流入光学ウィンドウと、
前記本体に取り付けられ、前記光学サンプリングボアの前記流出端を覆う流出光学ウィンドウと、
を含み、
前記ガス流入ルーメンと前記光学サンプリングボアの前記流入端との接続部は、少なくとも１つの曲面壁を含む、呼吸ガスセンサ用のサンプルセル。
【手続補正２】
【補正対象書類名】明細書
【補正対象項目名】００１３
【補正方法】変更
【補正の内容】
【００１３】
【図１】図１は、カプノグラフィデバイスと、カプノグラフデバイスに挿入する前の使い捨てサンプルセルとを示す。
【図２】図２は、カプノグラフィデバイスと、カプノグラフデバイスに挿入した後の使い捨てサンプルセルとを示す。
【図３】図３（ａ）から図３（ｇ）は、図１及び図２のサンプルセルの一体成形の射出成形本体の図を示す。
【図４】図４は、切断線Ｓ−Ｓが示された図１及び図２のサンプルセルの側面図を示す。
【図５】図５は、図４に示される切断線に沿った断面Ｓ−Ｓを示す。
【図６】図６は、サンプリングボアを中心とした図５の断面Ｓ−Ｓの一部の拡大図を示す。
【図７】図７は、図６の断面図Ｓ−Ｓを介して見る図１から図６のサンプルセルを通る呼吸ガス流のコンピュータシミュレーションを示す。
【図８】図８は、クロスハッチングが内部特徴を画定するように射出成形モールドの工具鋼を引き抜くためのピンを示す図５の断面Ｓ−Ｓを示す。
【図９】図９は、図１から図８のサンプルセルを製造する適切な方法の製造フローチャートを示す。
【手続補正３】
【補正対象書類名】明細書
【補正対象項目名】００２１
【補正方法】変更
【補正の内容】
【００２１】
図３（ａ）から図３（ｇ）及び図４から図６を参照するに、例示的なサンプルセル１０は、例えば射出成形プラスチックで作られている一体成形の射出成形本体４０を含む。図３（ａ）から図３（ｇ）において、この一体成形の射出成形本体４０が複数の図に示されている。図４は、本体４０及び光学ウィンドウ７０、７２を含み、切断線Ｓ−Ｓが示されているサンプルセル１０の側面図を示す。図５は、図４に示される線に沿った断面Ｓ−Ｓを示す。図６は、断面Ｓ−Ｓの拡大図を示す。
【手続補正４】
【補正対象書類名】明細書
【補正対象項目名】００２４
【補正方法】変更
【補正の内容】
【００２４】
図３（ａ）から図３（ｇ）を特に参照するに、一体成形の射出成形本体４０が、図３（ａ）から図３（ｆ）では６つの直交図で示され、図３（ｇ）では斜視図で示される。例示的な本体４０は、ガス流入ルーメン５０を画定する管状ガス流入口８０と、ガス流出ルーメン５２を画定する管状ガス流出口８２とを支持する長方形フレーム７８を含む。管状ガス流入口８０と管状ガス流出口８２との間のボアセクション８４が、開口サンプリングボア４２及びプレナム６０、６２を画定する。円筒水濾過フード８６が、管状ガス流入口８０を同軸上で取り囲み、排水フィルタ１６の追加の支持を提供する。任意選択的に（又は適用規制によって要求されるのであれば）、この水濾過フード８６には、図３（ａ）、図３（ｄ）及び図３（ｇ）に示されるように、ガス流入口用の標準ＩＳＯ記号が示される。例示的な実施形態では、管状ガス流入口８０はニブ８８を有し、排水フィルタ１６は、ニブ８８を介して管状ガス流入口８０に取り付けられ、好適には、排水フィルタ１６を管状ガス流入口８０に固定するのに接着剤は使用されない。管状ガス流出口８２は、例えばサンプルセル１０がサンプリングベンチ８の合わせレセプタクル１２に挿入される（図１及び図２参照）と、サンプリングベンチ８の内部空気管２６に嵌合するようなサイズ及び形状にされる（例えば例示的な円錐先端部を有する）。例示的な本体４０は更に、取り付け及び取り外しを容易にするために一体成形の射出成形本体４０の両面上にフィンガグリップ９０、９２を、また、サンプルセル１０をレセプタクル１２内に固定するために（図示されるように）１つのクリップ９０上に留め金、クリップ又はディテント９４（或いは両方のクリップにあってもよい）を含む。当然ながら、サンプルセルが、図示されるように取り外し可能であるのではなく、サンプリングベンチの常設コンポーネントである場合、フィンガグリップ９０、９２は適切に省略され、また、クリップ９０は、常設の取り付け機構に交換される。